(57)【特許請求の範囲】
【請求項１】
先端部に照明光の出射端と対物光学系を有した有効部の基端部に、術者が把持するための略直線状のハンドピース部を設け、このハンドピース部にケーブルを接続した内視鏡において、
上記ハンドピース部内にケーブルを後方へ真っ直ぐ延出する向きにガイドする空隙を設けると共に、上記空隙を上記ハンドピース部の後端から略中間の位置まで上記ハンドピース部の側方に開口させるスリット部を設けて、ハンドピース部の側方へ上記ケーブルを繰り出せるようにしたことを特徴とする内視鏡。
【請求項２】
第１の請求項において、ハンドピース部のスリットからケーブルを繰り出す位置を定める調整部材をハンドピース部の長手方向に移動自在に設けてなるケーブル繰出し位置調整手段を有することを特徴とする内視鏡。
【発明の詳細な説明】
【０００１】
【発明の属する技術分野】
本発明は、ハンドピース部にケーブルを接続した内視鏡に関する。
【０００２】
【従来の技術】
従来、カテーテル型の内視鏡として、特開平５−３８３２４号公報で示されている様な技術がある。
【０００３】
このカテーテル型の内視鏡の類型として、手術用顕微鏡の死角となる部位を観察するときに補助的に使用する観察用スコープがある。手術用顕微鏡は鏡体の直下にある対象物しか観察できないが、例えば脳動脈瘤のクリッピングの際、クリッピングする部位を詳細に観察するときなどにおいて、この補助タイプのスコープを用い、色々な角度から観察することが可能である。
【０００４】
この様なスコープは、硬性の有効部（従来の内視鏡での挿入部にあたる）の基端部に通常の内視鏡での操作部に当たるところにハンドピースが設けられ、丁度、鉛筆を持つような格好で、そのスコープを把持する。
【０００５】
【発明が解決しようとする課題】
従来のカテーテル型スコープは、直線的に延長する形態のものであり、硬性な有効部とハンドピース部とケーブル（イメージガイドやライトガイドファイバーが内装されている部分）が一直線上に配置されていた。
【０００６】
このような形態のスコープではそのスコープを持ち運びする際には好都合であるが、術中、ハンドピースを鉛筆のように把持する際、把持部を支点としてケーブルの重みがスコープの先端部を跳ね上げる向きに作用するため、術者は支点となるハンドピースを常にしっかりとホールドしていなければならず、操作性が悪いという問題点があった。
【０００７】
本発明は上記問題点に着目してなされたもので、持ち運びが容易でありながら操作性が良い内視鏡を提供することを目的とする。
【０００８】
【課題を解決するための手段及び作用】
請求項１に係る発明は、先端部に照明光の出射端と対物光学系を有した有効部の基端部に、術者が把持するための略直線状のハンドピース部を設け、このハンドピース部にケーブルを接続した内視鏡において、上記ハンドピース部内にケーブルを後方へ真っ直ぐ延出する向きにガイドする空隙を設けると共に、上記空隙を上記ハンドピース部の後端から略中間の位置まで上記ハンドピース部の側方に開口させるスリット部を設けて、ハンドピース部の側方へ上記ケーブルを繰り出し、使用中、ハンドピース部を支える２点の間にケーブルの荷重が掛かる様にしたものである。
【０００９】
請求項２に係る発明は、第１の請求項において、ハンドピース部のスリットからケーブルを繰り出す位置を定める調整部材をハンドピース部の長手方向に移動自在に設け、ケーブル繰出し位置を調整するようにしたものである。
【００１０】
【発明の実施の形態】
［第１実施形態］
図１〜３を参照して本発明の第１実施形態に係る内視鏡について説明する。
【００１１】
（構成）
図１は持ち運びや輸送に適する状態での内視鏡（スコープ）１を示す。この内視鏡１の先端側部分は挿入部に当たる有効部２が設けられている。有効部２は硬性のパイプ内にイメージガイドファィバー束やライトガイドファイバー束を内装したものである。有効部２の先端部分にはイメージガイドファイバー束の先端に位置した、例えば斜視あるいは側視の対物レンズと、ライトガイドファイバー束の出射端が設けられている。
【００１２】
有効部２の基端側には術者が内視鏡１を把持するためのハンドピース部３が設けられている。ハンドピース部３の基端側にはイメージガイドファイバー束やライトガイドファイバー束の基端側部分を挿通した可撓性のケーブル４が延出されている。
【００１３】
ハンドピース部３内には上記ケーブル４を後方へ真っ直ぐ延出する向きにガイドする、ケーブル４の外径よりも僅かに幅の大きい空隙が形成され、さらに、この空隙はハンドピース部３の基端からハンドピース部３の全長の中途まで長手方向に沿って側方に開口して、同幅のスリット５を形成している。また、スリット５の終端６には下側へ突き出す円筒部７が形成されている。スリット５は円筒部７にわたりほぼ同じ幅で連続して形成されている。つまり、スリット５はハンドピース部３の基端から円筒部７内にわたり下方に開口する溝状の空隙によって形成されている。
【００１４】
図２で示す如く、スリット５の終端６の部分は円筒部７の下方へ垂直に立ち下がる内壁面によって形成されるが、円筒部７の丸みを持った基部内壁面に滑らかに連続して形成されている。
【００１５】
ケーブル４の基端部は分岐部８に接続されている。分岐部８からはイメージガイドケーブル９とライトガイドケーブル１０が接続されている。また、イメージガイドケーブル９にはイメージガイドコネクター１１が接続され、ライトガイドケーブル１０にはライトガイドコネクター１２が接続されている。そして、イメージガイドコネクター１１は図示しないＴＶカメラ装置に接続され、また、ライトガイドコネクター１２は同じく図示しない光源に接続されるようになっている。
【００１６】
（作用・効果）
図２は、ハンドピース部３内の様子を示す。ハンドピース部３において、ケーブル４の基端部分は、スリット５の終端６よりも先端側に入り込んで位置する。
【００１７】
図１の状態では、ケーブル４が、スリット５内に入り込んでおり、スリット５の後端からハンドピース部３の長手方向に沿って直線的に後方へ導かれている。
【００１８】
また、ケーブル４は、図１の位置状態から、終端６に沿ってハンドピース部３に対して略９０゜の方向に延出される図２で示す状態まで、スリット５の間の任意の位置におかれる。
【００１９】
図３は術者が内視鏡１を把持する状態を示す。内視鏡１のハンドピース部３を鉛筆の様に把持する。すなわち、ケーブル４をスリット５の終端６に当て付け、ハンドピース部３に対して、ケーブル４が略９０゜の下向きに出る位置にする。
【００２０】
その時、術者が内視鏡１から受ける荷重は、図３で示す如く、手のＡ点（術者の人差し指、あるいは中指の先端）と、Ｂ点（人差し指付け根と親指付け根の間の手掌の側方）で受けることになる。そして、ケーブル４の重さは、Ａ点とＢ点の間に作用するため、有効部２がＡ点やＢ点を支点として跳ね上げるような力が働くことがない。
【００２１】
尚、上記スリット５の間隙がケーブル４の外径よりも僅かに狭ければ、そのスリット５の間隙にケーブル４の部分が挟み付けられ、摩擦力で、スリット５から繰り出す任意の位置にケーブル４を保持することができる。
【００２２】
［第２実施形態］
図４〜５を参照して本発明の第２実施形態を説明する。
【００２３】
（構成）
第２実施形態におけるハンドピース部３はスリット５を設けた把持部１３と調整部材１４に２体化され、把持部１３に調整部材１４をスライド自在に嵌装したものである。調整部材１４は例えば弾性を有するプラスチック等の材料から成り、図５で示す如く、第１実施形態での終端６を形成する円筒部７に相当する形状を持った部材である。
【００２４】
調整部材１４の先端側部分には開放する切り込み１５が２本近接して設けられている。その２つの切り込み１５の間に形成される片部１６の先端内面には内方へ突き出す突起１７が設けられている。一方、把持部１３の外周面には上記突起１７と対応する位置に複数個の凹部１８が設けられている。
【００２５】
（作用・効果）
調整部材１４の一部に２つの切り込み１５の間に形成した片部１６は板バネ効果を有し、このバネ効果によってノッチ様に突起１７と凹部１８が噛み合って、把持部１３と調整部材１４を係合位置に固定する。また、板バネ効果に抗して調整部材１４を長手方向に相対的に移動することもできる。術者の好みに応じて、調整部材１４を前後に移動して好みの位置に保持し、把持部１３から延出するケーブル４の位置を調整することができる。
尚、本発明は前述した各実施形態のものに限定されるものではない。
【００２６】
【発明の効果】
以上説明したように本発明は、持ち運ぶ場面、使用中の場面に応じて、ケーブルの延出方向が最適な位置に変えられるので、持ち運びが容易であり、操作性が良い。また、術者がハンドピースを持つ手の握りをある程度緩めても手から内視鏡が滑り落ちることがないので、内視鏡を落として破損させることや内視鏡を落すことにより再消毒／滅菌を改めて行うようなことがない。
【図面の簡単な説明】
【図１】本発明の第１実施形態に係る内視鏡の説明図。
【図２】上記内視鏡のハンドピースの部分の縦断面図。
【図３】術者が上記内視鏡を把持する使用状態の説明図。
【図４】本発明の第２実施形態に係る内視鏡のハンドピースの部分の斜視図。
【図５】上記第２実施形態に係る内視鏡のハンドピースの部分の縦断面図。
【符号の説明】
１…内視鏡（スコープ）、２…有効部、３…ハンドピース部、
４…ケーブル、５…スリット、６…終端、７…円筒部。
【図１】
0004398016.tif 000002
【図２】
0004398016.tif 000003
【図３】
0004398016.tif 000004
【図４】
0004398016.tif 000005
【図５】
0004398016.tif 000006